【手続補正書】
【提出日】平成16年10月13日(2004.10.13)
【手続補正１】
【補正対象書類名】特許請求の範囲
【補正対象項目名】全文
【補正方法】変更
【補正の内容】
【特許請求の範囲】
【請求項１】
携帯電話機において、入力された電話番号を自動的に変更する方法であって、
移動機国コード（ＭＣＣ）を、前記ＭＣＣによって示される国のダイヤリング手順に関する対応情報に関連付ける、データベースを提供するステップであって、前記ダイヤリング手順は国コードを含んでいる、ステップと、
前記電話機が通信するネットワークから、前記ネットワークの国を示すＭＣＣを得るステップと、
前記電話番号が入力されたときの前記入力された電話番号と、前記得られたＭＣＣに対する前記データベースからのダイヤリング手順情報とを比較するステップと、
前記比較ステップに依存して、前記入力された電話番号をフル国際形式、すなわち国際アクセスコードとしての＋、国コードおよびローカル番号を含む型式、に変更するステップと、
を包含する方法。
【請求項２】
前記移動機国コード（ＭＣＣ）は、Ｉｎｔｅｒｎａｔｉｏｎａｌ  Ｔｅｌｅｃｏｍｍｕｎｉｃａｔｉｏｎｓ  Ｕｎｉｏｎ規格に基づいて決定される、請求項１に記載の方法。
【請求項３】
いずれの移動機国コード（ＭＣＣ）に対しての前記フル国際形式も公知であるか予め定められている、請求項１または２に記載の方法。
【請求項４】
前記標準的なフル国際形式は、Ｉｎｔｅｒｎａｔｉｏｎａｌ  Ｔｅｌｅｃｏｍｍｕｎｉｃａｔｉｏｎｓ  Ｕｎｉｏｎ規格から決定される、請求項１、２、または３に記載の方法。
【請求項５】
前記変更された番号を前記電話機に格納するステップをさらに包含する、前記請求項のうちいずれかに記載の方法。
【請求項６】
前記変更された番号を前記電話機上で表示するステップをさらに包含する、前記請求項のうちいずれかに記載の方法。
【請求項７】
前記データベースは、複数のＭＣＣと、前記ＭＣＣに対応する複数の国コードと、複数のダイヤリング手順とを含んでなり、前記複数のダイヤリング手順のうち１つ以上は各国コードと関連付けられている、前記請求項のうちいずれかに記載の方法。
【請求項８】
前記データベースにおいて、特殊なダイヤリング手順に関する情報が、少なくとも１つのＭＣＣについて格納されており、前記特殊なダイヤリング手順に関する情報は、前記少なくとも１つのＭＣＣによって示される国に関するもので、前記番号が入力されたときにダイヤル先の国と前記得られたＭＣＣによって示される国との間のダイヤリングに必要なものであり、
前記入力された番号は、前記必要な特殊ダイヤリング手順を考慮するように変更される、
請求項１ないし７のいずれかに記載の方法。
【請求項９】
ある国が特殊なダイヤリング手順を有するとき、前記データベースにおいて、前記特殊なダイヤリング手順に関する情報を含む追加的なエントリが、その国を表すＭＣＣに対して作成される、請求項８に記載の方法。
【請求項１０】
前記ＭＣＣおよび前記ダイヤリング手順に関する情報は、データベースダイヤリング手順のエントリを構成し、各エントリは、前記ＭＣＣによって示される国の特殊なダイヤリング手順の表示を含む、請求項９に記載の方法。
【請求項１１】
前記特殊なダイヤリング手順の表示は、前記追加的なエントリを表示している、請求項１０に記載の方法。
【請求項１２】
前記特殊なダイヤリング手順の情報は、特定の国の間での必要なダイヤリング手順の情報である、請求項８ないし１１のいずれかに記載の方法。
【請求項１３】
前記入力された電話番号が、前記番号が入力された国において、前記特殊なダイヤリング手順に従ってダイヤルされなければならないかどうかを決定するステップをさらに包含する、
請求項８ないし１２のいずれかに記載の方法。
【請求項１４】
前記特殊なダイヤリング手順は、Ｉｎｔｅｒｎａｔｉｏｎａｌ  Ｔｅｌｅｃｏｍｍｕｎｉｃａｔｉｏｎｓ  Ｕｎｉｏｎ規格から決定される、請求項８ないし１３のいずれかに記載の方法。
【請求項１５】
電話先の国の名称を決定するステップをさらに包含する、前記請求項のうちいずれかに記載の方法。
【請求項１６】
前記電話先の国の名称がユーザに表示される、請求項１５に記載の方法。
【請求項１７】
電話先の国における時刻を決定することをさらに包含する、前記請求項のうちいずれかに記載の方法。
【請求項１８】
電話先の国の時刻は、電話がかけられたときにＭＣＣによって示される国における時刻および、各国における時刻の差を決定することによって決定される、請求項１７に記載の方法。
【請求項１９】
電話先の国の時刻は、ＧＭＴおよび、前記電話先の国とＧＭＴとの間の時差から決定さる、請求項１８に記載の方法。
【請求項２０】
電話先の国の時刻は、ＣＥＴおよび、前記電話先の国とＧＭＴとの間の時差から決定さる、請求項１８に記載の方法。
【請求項２１】
ユーザに電話先の国における前記電話の時刻を表示するステップをさらに包含する、請求項１７ないし２０のいずれかに記載の方法。
【請求項２２】
電話先の国における現在時刻が前記ユーザに表示される、請求項２１に記載の方法。
【請求項２３】
ユーザは、電話を実行に移すことの確認を促される、請求項１７ないし２２のいずれかに記載の方法。
【請求項２４】
ユーザによって入力された電話番号を自動的に変更することが可能な携帯電話機であって、
移動機国コード（ＭＣＣ）を、前記ＭＣＣによって示される国のダイヤリング手順に関する対応情報に関連付けるデータベースに、アクセスする手段であって、前記ダイヤリング手順は国コードを含んでいる、手段と、
前記電話機が通信するネットワークから、前記ネットワークの国を示すＭＣＣを得る手段と、
前記電話番号が入力されたときの前記入力された電話番号と、前記得られたＭＣＣに対する前記データベースからのダイヤリング手順情報とを比較する手段と、
前記入力された電話番号をフル国際電話番号、すなわち国際アクセスコードとしての＋、国コードおよびローカル番号を含む電話番号、に変更する手段と、
を備える携帯電話機。
【請求項２５】
前記変更された番号を、後のリダイヤリングのために格納する手段をさらに備える、請求項２４に記載の電話機。
【請求項２６】
前記電話機はディスプレイをさらに備える、請求項２４または２５に記載の電話機。
【請求項２７】
前記ディスプレイは、電話先の国における時刻をユーザに表示するように構成された、請求項２６に記載の電話機。
【請求項２８】
前記ディスプレイは、電話先の国の名称をユーザに表示するように構成された、請求項２６または２７に記載の電話機。
【請求項２９】
ユーザは、電話を実行に移すことの確認を促される、請求項２４ないし２８のいずれかに記載の電話機。
【請求項３０】
前記データベースは、複数のＭＣＣと、前記ＭＣＣに対応する複数の国コードと、複数のダイヤリング手順とを含んでなり、前記複数のダイヤリング手順のうち１つ以上は各国コードと関連付けられている、請求項２４ないし２９のいずれかに記載の方法。
【請求項３１】
前記データベースにおいて、特殊なダイヤリング手順に関する情報が、少なくとも１つのＭＣＣについて格納されており、前記特殊なダイヤリング手順に関する情報は、前記少なくとも１つのＭＣＣによって示される国に関するもので、前記番号が入力されたときにダイヤル先の国と前記得られたＭＣＣによって示される国との間のダイヤリングに必要なものであり、
前記前記変更する手段は、前記入力された番号を、前記必要な特殊ダイヤリング手順を考慮するように変更するように構成された、
請求項２４ないし２９のいずれかに記載の電話機。
【請求項３２】
ある国が特殊なダイヤリング手順を有するとき、前記データベースにおいて、前記特殊なダイヤリング手順に関する情報を含む追加的なエントリが、その国を表すＭＣＣに対して作成される、請求項３１に記載の電話機。
【請求項３３】
前記ＭＣＣおよび前記ダイヤリング手順に関する情報は、データベースダイヤリング手順のエントリを構成し、各エントリは、前記ＭＣＣによって示される国の特殊なダイヤリング手順の表示を含む、請求項３１に記載の電話機。
【請求項３４】
前記特殊なダイヤリング手順の表示は、前記追加的なエントリを表示している、請求項３３に記載の電話機。
【請求項３５】
前記特殊なダイヤリング手順の情報は、特定の国の間での必要なダイヤリング手順の情報である、請求項３１ないし３４のいずれかに記載の電話機。
【請求項３６】
前記入力された電話番号が、前記番号が入力された国において、前記特殊なダイヤリング手順に従ってダイヤルされなければならないかどうかを決定する手段をさらに包含する、
請求項３１ないし３５のいずれかに記載の電話機。
【請求項３７】
請求項１ないし２３のいずれかに記載の方法を実行するための、コンピュータプログラム。
【請求項３８】
請求項３７に記載のコンピュータプログラムを動作させるように構成された、電話機。